(57)【特許請求の範囲】
【請求項１】
ランドセル部取り付けベルトと腰部取り付けベルトとランドセル背当て布からなるランドセル用腰ベルトであり、ランドセル部取り付けベルト（１）と腰部取り付けベルト（３）が結合されており、当該結合部にランドセル背当て布の一端がつながっており、ランドセル部取り付けベルト（２）と腰部取り付けベルト（４）が結合されており、当該結合部にランドセル背当て布の他端がつながっており、ランドセル部取り付けベルト（１）の先端には固定具（６）が取り付けられており、ランドセル部取り付けベルト（２）の先端には固定具（７）が取り付けられており、腰部取り付けベルト（３）の先端には固定具（８）が取り付けられており、腰部取り付けベルト（４）の先端には固定具（９）が取り付けられているランドセル用腰ベルト。
【請求項２】
前記ランドセル背当て布をランドセルの背部に当てて、前記ランドセル取り付けベルトに取り付けた前記固定具（６）と前記固定具（７）を結合することにより、ランドセルに巻きつけることができる請求項１記載のランドセル用腰ベルト。
【請求項３】
前記ランドセル背当て布をランドセルの背部に当てて、前記腰部取り付けベルトに取り付けた前記固定具（８）と前記固定具（９）を結合することにより、人体に巻きつけることができる請求項１記載のランドセル用腰ベルト。
【発明の詳細な説明】
【技術分野】
【０００１】
ランドセル用腰ベルトに関する技術である。
【背景技術】
【０００２】
背当て部の側縁にベルト連結具を左右方向に回転自在に設け、該ベルト連結具に別体の腰ベルトを着脱自在に設けていることを特徴にしている。前記ベルト連結具が先端側に硬質のベルト連結環を有し、そのベルト連結環が背当て部に対し左右方向に回転自在、かつ起伏自在であることを特徴としている。前記背当て部の表面に前記ベルト連結具を収納する凹部を設けていることを特徴としている。と記載されている。（例えば、特許文献１参照。）
【先行技術文献】
【特許文献】
【０００３】
【特許文献１】特開２００２−０５８５１６号公報（段落０００６）
【発明の概要】
【発明が解決しようとする課題】
【０００４】
しかしながら、ランドセルは、背当て部の側縁にベルト連結具を左右方向に回転自在に設け、該ベルト連結具に別体の腰ベルトを着脱自在に設けていることを特徴にしているため、背当て部の側縁にベルト連結具がない既に販売されているランドセルでは不安定な背負い状態になる。本発明は、このような従来の問題を解決しようとするもので、ランドセル用腰ベルトを提供することを目的とするものである。
【課題を解決するための手段】
【０００５】
本発明は、ランドセル部取り付けベルトと腰部取り付けベルトとランドセル背当て布からなるランドセル用腰ベルトであり、ランドセル部取り付けベルト（１）の取り付け部（c）と腰部取り付けベルト（３）の取り付け部（d）が結合されており、それのほぼ中央にランドセル背当て布の一端がつながっており、ランドセル部取り付けベルト（２）の取り付け部（e）と腰部取り付けベルト（４）の取り付け部（f）が結合されており、それのほぼ中央にランドセル背当て布の他端がつながっており、ランドセル部取り付けベルト（１）の先端には固定具（６）が取り付けられており、ランドセル部取り付けベルト（２）の先端には固定具（７）が取り付けられており、腰部取り付けベルト（３）の先端には固定具（８）が取り付けられており、腰部取り付けベルト（４）の先端には固定具（９）が取り付けられているランドセル用腰ベルト。
【０００６】
また、前記ランドセル背当て布をランドセルの背部に当てて、前記ランドセル部取り付けベルトに取り付けた前記固定具（６）と前記固定具（７）を結合することによりランドセルに巻きつけることができるものである。
【０００７】
また、前記ランドセル背当て布をランドセルの背部に当てて、前記腰部取り付けベルトに取り付けた前記固定具（６）と前記固定具（７）を結合することによりランドセルに巻きつけることができるものである。
【発明の効果】
【０００８】
本発明のランドセル用腰ベルトによれば、既に販売されているや手持ちのランドセルにでも取り付けて使用することが可能となり、多くの児童のランドセルの不安定な背負い状態を補助し、体への負担が軽減されることで、快適で安全にランドセルを背負うことができる効果が期待できる。
【図面の簡単な説明】
【０００９】
【図１】本発明に係るランドセル用腰ベルトを示す斜視図である。
【図２】本発明に係るランドセルに装着した時の正面から見た斜視可視図である。
【図３】本発明に係るランドセルに装着した時の裏面から見た斜視図である。
【図４】本発明に係る人間が装着した時の参考図である。
【発明を実施するための形態】
【００１０】
図１を説明する。本発明のランドセル用腰ベルトは、図１に示されるように、ランドセル部取り付けベルト１に固定具６（例えばスナップボタンや面テープやバックル）が取り付けられていて、ランドセル部取り付けベルト２に固定具7（例えばスナップボタンや面テープやバックル）が取り付けられている。また、腰部取り付けベルト３に固定具８（例えばスナップボタンや面テープやバックル）が取り付けられていて、腰部取り付けベルト４に固定具９（例えばスナップボタンや面テープやバックル）が取り付けられている。固定具６と固定具７、固定具８と固定具９は着脱できる。
【００１１】
ランドセル部取り付けベルト１と腰部取り付けベルト３のほぼ中央に、ランドセル背当て布５の取り付け部aが縫い付けられていて、ランドセル部取り付けベルト２と腰部取り付けベルト４のほぼ中央にランドセル背当て布５の取り付け部bが縫い付けられている。
【００１２】
ランドセル部取り付けベルト１とランドセル部取り付けベルト２と腰部取り付けベルト３と腰部取り付けベルト４とランドセル背当て布５の形状は長方形になっているが、これに限らず他の形状でも良い。
【００１３】
図２を説明する。図２はランドセル１０にランドセル用腰ベルトを装着した時の斜視図である。固定具６と固定具７を結合して巻きつけたものである。固定具６、固定具７は正面からは見えないが、取り付けた時の状態が分かるようにして可視化して書いたものである。ランドセルの蓋１１を持ち上げてランドセル１０に巻きつけた状態の図である。
【００１４】
図３を説明する。図３はランドセル１０にランドセル用腰ベルトを装着した時の裏面から見た斜視図である。取り付けた時の状態が分かるように、ランドセルの肩紐を省略して書いたものである。
【００１５】
図４を説明する。図４は人間がランドセル用腰ベルトを装着した時の参考図である。固定具８と固定具９を結合して腰に巻きつけたものである。固定具８、固定具９は正面からは見えないが、取り付けた時の状態がわかるように可視化して書いたものである。
【産業上の利用可能性】
【００１６】
ランドセルだけでなく、遠足や登山などの時のリュックサック用の腰ベルトとしても応用できる。
【符号の説明】
【００１７】
１    ランドセル部取り付けベルト
２    ランドセル部取り付けベルト
３    腰部取り付けベルト
４    腰部取り付けベルト
５    ランドセル背当て布
６    固定具
７    固定具
８    固定具
９    固定具
１０  ランドセル
１１  ランドセルの蓋
１２  人間
ａ    取り付け部
ｂ    取り付け部
ｃ    取り付け部
ｄ    取り付け部
ｅ    取り付け部
ｆ    取り付け部
【要約】
【課題】ランドセルは背当て部の側縁にベルト連結具を左右方向に回転自在に設け該ベルト連結具に別体の腰ベルトを着脱自在に設けるため背当て部の側縁にベルト連結部がない従来のランドセルは不安定な背負い状態を補助するための腰ベルトを使用できない。
【解決手段】ランドセル部取り付けベルト（１）の取り付け部（c）と腰部取り付けベルト（３）の取り付け部（d）が結合されており、それのほぼ中央にランドセル背当て布の一端がつながっており、ランドセル部取り付けベルト（２）の取り付け部（e）と腰部取り付けベルト（４）の取り付け部（f）が結合されほぼ中央にランドセル背当て布の他端がつながりランドセル部取り付けベルトの先端に固定具が取り付けられランドセル部取り付けベルトの先端に固定具が取り付けられ腰部取り付けベルトの先端に固定具が取り付けられ腰部取り付けベルトの先端に固定具が取り付けられている。
【選択図】図１【図１】
0005969684.tif 000002
【図２】
0005969684.tif 000003
【図３】
0005969684.tif 000004
【図４】
0005969684.tif 000005